(57)【要約】【課題】施錠装置の不正解錠を防止する構成を必要とする場合と、該構成を必要としない場合の何れにも容易に対応し得る遊技機を提供する。【解決手段】外枠側に配設した第１係止片に係脱自在に係合する第１係止フック、および第１係止フックの変位に伴い第１位置から第２位置に変位し、錠部材４１の解錠操作に伴い第１位置から第３位置に変位する第２の規制部材５０を中枠側に設ける。また、第１位置にある第２の規制部材５０と係合して第１係止フックの変位を規制する規制位置と、第２の規制部材５０との係合が解除されて第１係止フックの変位を許容する許容位置との間を変位する第１の規制部材４５を中枠側に配設する。そして、外枠に保持部材２４を着脱自在に配設し、保持部材２４を取り付けた状態では、第１の規制部材４５を規制位置に変位し、保持部材２４を外枠に取り付けない状態では、第１の規制部材４５を許容位置に保持するよう構成した。【選択図】図７
2005152344.tif 000002
【特許請求の範囲】
【請求項１】
第１枠に配設される第１係合部と、前記第１枠に対して相対的に開閉枢支される第２枠に配設されるベース部材と、前記ベース部材に設けられ、前記第１係合部と係合して第１枠および第２枠を閉成状態で保持する施錠位置、および前記係合を解除して第１枠および第２枠を相対的に開放可能な解錠位置の間を変位し得る第２係合部と、前記ベース部材に配設され、解錠操作に伴い前記第２係合部を施錠位置から解錠位置に変位させる錠部材と、前記ベース部材に配設される第１の規制部材と、前記第２係合部に接続されて前記第１の規制部材と係脱自在に係合し、該第２係合部の施錠位置から解錠位置への変位に伴い第１位置から第２位置に変位され、また前記錠部材の解錠操作に伴い第１位置から第３位置に変位される第２の規制部材とからなり、前記第２の規制部材を第１位置に保持した状態では、第１の規制部材と係合して第２位置への変位が規制され、該第２の規制部材を前記第３位置へ変位させると、第１の規制部材との係合が解除されて第２位置への変位を許容する施錠装置を備える遊技機において、
前記第１の規制部材を、前記第１位置にある第２の規制部材と係合する規制位置、および該第２の規制部材との係合が解除される許容位置の間を変位し得るよう構成すると共に、該第１の規制部材を付勢手段により常には許容位置に保持し、
前記第１枠に第３の規制部材を着脱自在に配設し、該第３の規制部材を前記第１枠に取り付けた状態で第１枠および第２枠を閉成すると、該第３の規制部材が前記第１の規制部材に当接して該第１の規制部材を許容位置から規制位置に変位させ、
前記第３の規制部材を前記第１枠に取り付けない状態で第１枠および第２枠を閉成すると、前記第１の規制部材は前記許容位置に保持されるよう構成した
ことを特徴とする遊技機。
【請求項２】
前記第１の規制部材は、前記第２の規制部材に係合する第１面と、該第１面の端縁から前記第１枠側に向けて延出して前記第３の規制部材が当接する第２面とを有し、前記第３の規制部材は、前記第１枠の側面から対向する第２枠の側面側に突出する突出部を有し、前記第１枠および第２枠を相対的に閉成した際に、前記突出部が第２面に当接して前記第１の規制部材を前記許容位置から規制位置に変位させるようになっている請求項１記載の遊技機。
【請求項３】
前記第２面における前記第１枠と近接する端縁には、該第１枠に向かうにつれて第１枠に対する前記第２枠の開放方向に向けて湾曲する延出部が設けられている請求項２記載の遊技機。
【発明の詳細な説明】
【技術分野】
【０００１】
本発明は、遊技機に関し、更に詳細には、第１枠に配設した第１係合部と、第２枠に配設した第２係合部とを係合して両枠の施錠を行ない、第１係合部と第２係合部との係合を解除して両枠の解錠を行なう施錠装置を備えた遊技機に関するものである。
【背景技術】
【０００２】
代表的な遊技機であるパチンコ機は、外郭をなす外枠(第１枠)に対して中枠(第２枠)が開閉自在に枢支されると共に、施錠装置を介して中枠が外枠に閉鎖状態で保持されている。この施錠装置は、外枠に配設されて上下に所定間隔離間する一対の第１係合部と、各第１係合部と対応するよう中枠に上下に所定間隔離間して配設されて、各第１係合部と係合する施錠位置、および各第１係合部と係合しない解錠位置に変位可能な第２係合部と、解錠操作に応じて該第２係合部を解錠位置に向けて変位させる錠部材から基本的に構成される。すなわち、前記第２係合部が施錠位置に変位した状態では、前記外枠に対して中枠が閉鎖状態で施錠される。そして、メンテナンス時等に、作業者がパチンコ機の前側から錠部材を解錠操作して第２係合部を解錠位置に変位することで、外枠に対して中枠を開放し得るようになっている。
【０００３】
ところで、前記施錠装置は、バネ等により前記第２係合部を常には前記施錠位置に保持することで、該第２係合部と第１係合部とを係合させて中枠を施錠している。このため、パチンコ機の所要箇所に隙間がある場合には、該隙間から針金等の異物を内部に挿入し、前記第２係合部を解錠位置に変位させて不正な解錠行為が行なわれる畏れがある。そこで、前記施錠装置の不正な解錠を防止するロック機構を備えたパチンコ機の提案がなされている(例えば、特許文献１参照)。
【０００４】
前記特許文献１に記載の施錠装置は、施錠装置の本体をなす支持体に、前記第２係合部を上下の端部に形成した作動体を、前記施錠位置と解錠位置との間を移動可能に配設すると共に、該作動体にリベットにより揺動可能にロック体(第２の規制部材)を取り付け、該ロック体が支持体に形成した係止片(第１の規制部材)と係合することにより、作動体が解錠位置に向けて変位しないよう構成してある。また、前記施錠装置には、前記ロック体に当接すると共に、錠部材の解錠操作に伴い揺動可能な解除板を設けてある。そして、作業者が錠部材を解錠操作し、前記ロック体と前記係止片との係合を解除するよう前記解除板が揺動することにより、前記作動体が解錠位置に向けて変位し得るようになっている。このように、前記作動体に設けたロック体を前記支持体に形成した係止片と係合させることで、不正な解錠行為が行なわれた場合の前記第２係合部の解錠位置への変位を防止している。
【特許文献１】特開２００３−１９３７２４号公報
【発明の開示】
【発明が解決しようとする課題】
【０００５】
ところで、防犯カメラやその他各種のセキュリティー設備を備え、前述した不正な解錠操作の防止や発見を容易になし得る遊技場では、簡単に施錠装置を解錠し得るようにしてメンテナンス作業等の負担を軽減する構成が望まれることも多い。例えば、パチンコ機の裏側に前記第２係合部を解錠位置に変位させて施錠装置の解錠を行なう解錠装置を取り付け、該解錠装置を駆動させることで、作業者が錠部材を解錠操作することなく中枠を開放してメンテナンス作業等を容易に行ない得るようになっている遊技場がある。ここで、前述した特許文献１に記載されたロック機構を備えた施錠装置は、ロック体と係止片との係合を解除しない限りは第２係合部を解錠位置に変位し得ないから、前記解錠装置等を配設して自動的に解錠することは不可能である。このため、作業者がパチンコ機毎に解錠操作を行なって中枠を開放する必要があり、作業負担を軽減し得ない欠点がある。
【０００６】
なお、前記ロック体を取り外せば、作業者が錠部材を解錠操作することなく前記解錠装置等により一斉に中枠を開放し得るが、該ロック体は前記作動体と支持体との間に挟まれるように配設されているから着脱作業は容易ではなく、更に当該ロック体をリベットで揺動自在に枢支するようにしてあるから、取り外しは困難である。このように、施錠装置に、不正解錠を防止するロック機構を設ける場合には、該機構を必要としない遊技場側の要望に対応し得ない欠点が指摘される。更にまた、前記施錠装置にロック機構を設けた場合には、パチンコ機を遊技場に設置する前の開発段階や品質テスト段階等であっても、パチンコ機のメンテナンス作業等を行なうに際しては、作業者が錠部材を解錠操作する必要が生じ、作業効率が低くなる問題もある。
そこで、本発明は、施錠装置の不正解錠を防止する構成を必要とする場合と、該構成を必要としない場合の何れにも容易に対応し得る遊技機を提供することを目的とする。
【課題を解決するための手段】
【０００７】
前記課題を克服し、所期の目的を達成するため、本発明に係る遊技機は、
第１枠(11)に配設される第１係合部(31)と、前記第１枠(11)に対して相対的に開閉枢支される第２枠(16)に配設されるベース部材(34)と、前記ベース部材(34)に設けられ、前記第１係合部(31)と係合して第１枠(11)および第２枠(16)を閉成状態で保持する施錠位置、および前記係合を解除して第１枠(11)および第２枠(16)を相対的に開放可能な解錠位置の間を変位し得る第２係合部(35)と、前記ベース部材(34)に配設され、解錠操作に伴い前記第２係合部(35)を施錠位置から解錠位置に変位させる錠部材(41)と、前記ベース部材(34)に配設される第１の規制部材(45)と、前記第２係合部(35)に接続されて前記第１の規制部材(45)と係脱自在に係合し、該第２係合部(35)の施錠位置から解錠位置への変位に伴い第１位置から第２位置に変位され、また前記錠部材(41)の解錠操作に伴い第１位置から第３位置に変位される第２の規制部材(50)とからなり、前記第２の規制部材(50)を第１位置に保持した状態では、第１の規制部材(45)と係合して第２位置への変位が規制され、該第２の規制部材(50)を前記第３位置へ変位させると、第１の規制部材(45)との係合が解除されて第２位置への変位を許容する施錠装置(30)を備える遊技機において、
前記第１の規制部材(45)を、前記第１位置にある第２の規制部材(50)と係合する規制位置、および該第２の規制部材(50)との係合が解除される許容位置の間を変位し得るよう構成すると共に、該第１の規制部材(45)を付勢手段(44)により常には許容位置に保持し、
前記第１枠(11)に第３の規制部材(24)を着脱自在に配設し、該第３の規制部材(24)を前記第１枠(11)に取り付けた状態で第１枠(11)および第２枠(16)を閉成すると、該第３の規制部材(24)が前記第１の規制部材(45)に当接して該第１の規制部材(45)を許容位置から規制位置に変位させ、
前記第３の規制部材(24)を前記第１枠(11)に取り付けない状態で第１枠(11)および第２枠(16)を閉成すると、前記第１の規制部材(45)は前記許容位置に保持されるよう構成したことを特徴とする。
【０００８】
また、前記第１の規制部材(45)に、前記第２の規制部材(50)に係合する第１面(46)と、該第１面(46)の端縁から前記第１枠(11)側に向けて延出して前記第３の規制部材(50)が当接する第２面(47)とを設け、前記第３の規制部材(24)に、前記第１枠(11)の側面から対向する第２枠(16)の側面側に突出する突出部(26)を設け、前記第１枠(11)および第２枠(16)を相対的に閉成した際に、前記突出部(26)が第２面(47)に当接して前記第１の規制部材(45)を前記許容位置から規制位置に変位させるようにしてもよい。
【０００９】
更に、前記第２面(47)における前記第１枠(11)と近接する端縁に、該第１枠(11)に向かうにつれて第１枠(11)に対する前記第２枠(16)の開放方向に向けて湾曲する延出部(48)を設けることも可能である。
【発明の効果】
【００１０】
本発明の請求項１に係る遊技機によれば、第３の規制部材を取り付けた状態で第１枠と第２枠とを相対的に閉成した際には、第１の規制部材が許容位置から規制位置に変位して第２係合部と連動する第２の規制部材と係合し、該第２係合部を直接解錠位置に変位させ得なくなる。従って、この状態では施錠装置の解錠を行なうに際しては、錠部材の解錠操作を行なう必要があり、施錠装置の不正解錠は防止される。また、第３の規制部材を取り外した状態で第１枠と第２枠とを相対的に閉成した際には、前記第１の規制部材は規制位置に変位されないから前記第２係合部を直接解錠位置に変位し得る。従って、この状態では施錠装置の解錠を行なうに際しては、錠部材の解錠操作を行なうことなく、第２係合部を直接解錠位置に変位させて施錠装置の解錠を行なうことができる。すなわち、前記第３の規制部材の取り付けおよび取り外しを行なうだけで、施錠装置の不正解錠を防止する構成を必要とする場合と、該構成を必要としない場合との何れの場合にも容易に対応することができる。
【００１１】
また、請求項２に係る遊技機によれば、前記第１の規制部材に、前記第１枠側に向けて延出する第２面を形成し、該第２面に第３の規制部材が当接するようにしたから、前記第１枠が撓んで第３の規制部材が第２枠から離間する方向に移動した場合であっても、該第３の規制部材が第２面に当接して第１の規制部材を確実に規制位置で保持し得る。更に、請求項３に係る遊技機によれば、前記第１の規制部材の第２面における前記第１枠と近接する端縁に、該第１枠に向かうにつれて前記第２枠の開放方向に向けて湾曲する延出部を設けるようにしたから、第１枠および第２枠を相対的に閉成した際に、該第１の規制部材の角部が第１枠に当接して該第１枠にキズ等が生ずるのは防止される。
【発明を実施するための最良の形態】
【００１２】
本発明に係る遊技機につき、好適な実施例を挙げて、添付図面を参照しながら以下詳細に説明する。なお、実施例では遊技機として、一般的なパチンコ機を例にして説明する。また、以下の説明において、前・後、左・右とは、特に断りのない限り、図１に示すようにパチンコ機１０を正面側から見た状態において指称するものとする。
【実施例】
【００１３】
(パチンコ機について)
本実施例のパチンコ機１０は、その基本的構成の概要として図１に略示するように、外郭をなす外枠(第１枠)１１の開口前面側に、遊技盤１７を着脱自在に保持する中枠(第２枠)１６が開閉枢支され、後述する施錠装置３０を介して中枠１６が外枠１１に対して常には閉成状態で保持されている。そして、この中枠１６の前側に、遊技盤１７(図２参照)を透視保護するガラス板１８ａを備えた前枠１８が開閉枢支されると共に、該中枠１６における前枠１８の下方位置に、遊技媒体としてのパチンコ球(図示せず)を貯留し得る上球皿１９が配設され、該上球皿１９の下方位置には下球皿２０が配設されている。なお、前記下球皿２０の右側には、前記上球皿１９に貯留したパチンコ球を遊技盤１７に打ち出す打球発射装置２１を配置してある。また、前記中枠１６の後側には、前記パチンコ球が流通する球通路部や、パチンコ機１０を構成する各部を制御する制御装置(何れも図示せず)等を設けた機構セット盤２２(図２参照)が装備されている。
【００１４】
(外枠について)
図１に示すように、前記外枠１１における左側部には、上下に離間する位置に上支持具１２ａおよび下支持具１２ｂが配設されており、両支持具１２ａ,１２ｂを介して前記中枠１６が開閉自在に枢支される。また、前記外枠１１を形成する右枠部材１３の内側面には、上下方向に所要間隔離間する位置に、該外枠１１の開口内側(外枠１１の左枠部材１５側)に延出する一対の第１係止片(第１係合部)３１,３１が設けられている(図５参照)。更に、前記右枠部材１３における上下の第１係止片３１,３１の略中間位置には、左および前方向に開放する凹部１４(図２または図３参照)が形成されて、該凹部１４に保持部材(第３の規制部材)２４が着脱自在に配設される。
【００１５】
前記保持部材２４は、図３または図４に示すように、前記凹部１４に整合する大きさに形成されて、前記右枠部材１３の内側面から外枠１１の開口内側に突出しない本体部２５と、該本体部２５の下部側に形成されて、右枠部材１３の内側面より外枠１１の開口内側に突出する突出部２６とから形成される。すなわち、図２に示すように、前記保持部材２４を前記外枠１１の凹部１４に取り付けた状態では、前記突出部２６のみが外枠１１の開口内側に突出する。ここで、前記凹部１４は、前記保持部材２４を凹部１４に取り付けた状態で前記中枠１６を外枠１１に対して閉成した際に、前記突出部２６が後述する第１の規制部材４５の第２板部４７に当接する位置に形成される。
【００１６】
また、前記突出部２６の前面側には、図３または図４に示すように、上方に向かうにつれて後方に向けて退避する第１傾斜面２６ａが形成されると共に、前記本体部２５の前面２５ａにおける前記突出部２６と対応する位置には、左方向に向かうにつれて後方に向けて退避する第２傾斜面２５ｃが形成されている。なお、前記本体部２５(保持部材２４)の後面２５ｂには、左右方向に延在する溝部２７が形成されると共に、該本体部２５(保持部材２４)の右側面２５ｄには、右方向に向けて突出する突起部２８が形成されている。また、前記外枠１１の右枠部材１３には、前記凹部１４の内側に臨む位置に、前記溝部２７と係合可能な位置決め突部１３ａ、および前記突起部２８と嵌合可能な位置決め孔１３ｂが夫々形成されている。そして、前記凹部１４に保持部材２４を取り付けた際に、前記溝部２７と前記位置決め突部１３ａ(図３参照)とが係合すると共に、前記突起部２８と前記位置決め孔１３ｂとが係合して、該凹部１４の所定位置に保持部材２４が位置決めされ、この状態で保持部材２４がネジ(固定部材)２９を介して前記右枠部材１３に固定されている。
【００１７】
(中枠について)
前記中枠１６は、全体が合成樹脂により前記外枠１１の開口領域に整合する外形サイズに成形されて、図２に示すように、前後方向に開口して内側に前記遊技盤１７を着脱自在に保持し得る遊技盤保持部１６ａが形成され、該遊技盤保持部１６ａの下部に、前記上球皿１９を組み付ける遊技補助盤や前記下球皿２０を組み付ける設置盤(何れも図示せず)が設けられている。また、中枠１６の右側には、外枠１１側(右枠部材１３側)に延出するフランジ部１６ｂが形成されて、該フランジ部１６ｂに前記施錠装置３０の係合手段３３が配設される。
【００１８】
(施錠装置について)
図１または図５に示すように、前記施錠装置３０は、前記外枠１１に対する中枠１６の枢支側と反対側(パチンコ機１０の右側)に配設されて、前記外枠１１に対して前記中枠１６を閉鎖状態で保持すると共に、該中枠１６に対して前記前枠１８を閉鎖状態で保持するよう構成される。すなわち、前記施錠装置３０を解錠することで、前記中枠１６および前枠１８を開放し得るようになっている。ここで、前記施錠装置３０は、前記外枠１１の右枠部材１３に配設した前記一対の第１係止片３１,３１と、前記前枠１８の右側に上下に離間して設けられる一対の第２係止片３２,３２と、前記中枠１６に配設されて、該第１係止片３１,３１および第２係止片３２,３２の夫々と係脱自在に係合可能な係合手段３３とから基本的に構成される。
【００１９】
前記係合手段３３は、図２または図５に示すように、前記中枠１６におけるフランジ部１６ｂの後面に着脱自在に配設され、該フランジ部１６ｂの上下方向の略全長に亘って延在するベース部材３４と、該ベース部材３４における上下方向に離間する位置に揺動自在に配設されて、前記外枠１１の第１係止片３１,３１と係脱自在に係合する一対の第１係止フック(第２係合部)３５,３５と、ベース部材３４に対して上下方向に平行移動可能に配設され、両第１係止フック３５,３５を連結して一体的に揺動させる第１連結杆３６と、ベース部材３４における略中間位置に揺動自在に配設される第１の規制部材４５と、第１連結杆３６に枢支されて第１の規制部材４５に係脱自在に係合する第２の規制部材５０と、ベース部材３４に対して上下方向に平行移動可能に配設され、前記前枠１８の第２係止片３２,３２と係脱可能に係合する第２係止フック３８,３８を備えた第２連結杆３９と、ベース部材３４に配設されて解錠操作に伴い中枠１６および前枠１８を選択的に開放させる錠部材４１とから基本的に構成される。なお、前記ベース部材３４は、図５または図６に示すように、前記フランジ部１６ｂの後面に対向する前板３４ａと、該前板３４ａの左端縁(図６においては右端縁)から後方に向けて延出して前記中枠１６の遊技盤保持部１６ａの外側面に対向する側板３４ｂとから断面略Ｌ字状に形成されて、該側板３４ｂに前記第１係止フック３５,３５および第１の規制部材４５が配設されている。
【００２０】
前記各第１係止フック３５は、該第１係止フック３５を前記側板３４ｂに対して枢支する第１軸部３５ａの後側に、前記第１係止片３１と係合可能なフック部３５ｃが形成されると共に、該第１軸部３５ａの前側に設けた第２軸部３５ｂを介して前記第１連結杆３６と接続される。すなわち、前記第１連結杆３６が上下方向に移動するに伴い、前記第１係止フック３５,３５が第１軸部３５ａ,３５ａを中心として上下に揺動するようになっている。ここで、前記両第１係止フック３５,３５は、前記フック部３５ｃ,３５ｃが前後方向に延在して第１係止片３１,３１に係合する施錠位置と、該フック部３５ｃ,３５ｃが下方に揺動して、第１係止片３１,３１との係合が解除された解錠位置との間を変位するよう構成される。すなわち、第１係止フック３５,３５を施錠位置に保持することで前記中枠１６が外枠１１に対して閉鎖状態で保持され、第１係止フック３５,３５を解錠位置に変位することで中枠１６が外枠１１から開放可能となる。なお、図５に示すように、前記前板３４ａ(ベース部材３４)に形成した第１掛部３４ｃと、前記第１連結杆３６に形成した掛部３６ａとの間に掛止した第１バネ部材３７により、第１連結杆３６を下方に向けて付勢するよう構成されており、前記第１係止フック３５,３５を常には施錠位置に保持している(図５参照)。
【００２１】
前記第２連結杆３９は、前記側板３４ｂと前記第１連結杆３６との間に配置されて両部材３４ｂ,３６の間を上下方向に摺動するようになっており(図６参照)、前記第２係止フック３８,３８が第２係止片３２,３２に係合する施錠位置と、該施錠位置から下方に移動して該第２係止片３２,３２との係合が解除される解錠位置との間で変位し得るよう構成される。すなわち、第２係止フック３８,３８を施錠位置に保持することで前記中枠１６に対して前枠１８が閉鎖状態で保持され、第２係止フック３８,３８を解錠位置に変位させることで、前枠１８が中枠１６に対して開放されるようになっている。なお、前記第２連結杆３９に形成された掛部３９ａと、前記第２の規制部材５０に形成された掛部５０ａとの間に掛止した第２バネ部材４０により、該第２連結杆３９を上方に向けて付勢するよう構成されており、前記第２係止フック３８,３８を常には施錠位置に保持している(図５参照)。
【００２２】
(錠部材について)
図５〜図１１に示すように、前記錠部材４１は、前端面に鍵穴４２ａ(図１参照)が形成されて前記ベース部材３４の前板３４ａより前側に位置する錠本体４２と、該前板３４ａの裏側に位置して前記第１連結杆３６および第２の規制部材５０を変位させる第１脚部４３ａおよび第２連結杆３９を変位させる第２脚部４３ｂを有する回転板４３とから構成される。そして、前記鍵穴４２ａに差し込んだ鍵部材(図示せず)を右回転して前記錠部材４１の解錠操作を行なうに伴い、前記第１脚部４３ａが前記第１連結杆３６に開設した第１孔部３６ｂ(図５参照)に係合して該第１連結杆３６を上方に向けて変位させ、鍵部材を左回転して錠部材４１の解錠操作を行なうのに伴い、前記第２脚部４３ｂが前記第２連結杆３９に開設した第２孔部３９ｂ(図７〜図１１参照)と係合して該第２連結杆３９を下方に向けて変位させるよう構成される。すなわち、前記錠部材４１の解錠操作に伴い前記第１係止フック３５,３５を施錠位置から解錠位置に変位させ得ると共に、前記第２係止フック３８,３８を施錠位置から解錠位置に変位させ得るようになっている。
【００２３】
(第１の規制部材について)
前記第１の規制部材４５は、図５〜図１１に示すように、第３軸部４９を介して前記側板３４ｂに第１板部(第１面)４６が枢支され、該第１板部４６の上端側に鉤状の第１規制部４６ａが形成されると共に、下端側に第３バネ部材(付勢手段)４４の一方の端部を掛止する掛部４６ｂが形成されている。また、前記第１板部４６の後端縁側(図５〜図１１においては右端縁側)には、前記外枠１１側(すなわち側板３４ｂから離間する方向)に延出する第２板部(第２面)４７が形成されており、該第２板部４７に前記保持部材２４の突出部２６が当接するようになっている。なお、前記第２板部４７における前記外枠１１と近接する端縁には、該外枠１１に向かうにつれて前記中枠１６を外枠１１から開放する方向(図２に示す矢印Ａ方向)に折り曲げた延出部４８を形成してある。
【００２４】
ここで、前記第１の規制部材４５は、前記第１板部４６の第１規制部４６ａが前記第２の規制部材５０に係合可能な規制位置(図７〜図９参照)と、第２の規制部材５０との係合が解除される許容位置(図２,図５,図１０または図１１参照)の間を変位し得るよう構成されている。なお、前記第１の規制部材４５が前記許容位置にある場合には、前記第２板部４７が前記側板３４ｂの後端縁より後方に位置すると共に、該第１の規制部材４５が前記規制位置にある場合には、該第２板部４７が側板３４ｂの後端縁より後方に突出しないようになっている。また、一方の端部を第１の規制部材４５の掛部４６ｂに掛止した前記第３バネ部材４４の他方の端部は、前記ベース部材３４の前板３４ａに形成した第２掛部３４ｄ(図５参照)に掛止されており、該第３バネ部材４４により、前記第１の規制部材４５を常には前記許容位置に保持するようになっている。
【００２５】
そして、前記第１の規制部材４５は、前記外枠１１の右枠部材１３に前記保持部材２４を取り付けた状態で前記中枠１６を外枠１１に対して閉成した際に、該保持部材２４の突出部２６の第１傾斜面２６ａが前記第２板部４７に当接して押圧されることで、前記第３バネ部材４４の弾性力に抗して許容位置から規制位置に変位するようになっている。なお、前記中枠１６を完全に閉成した際には、前記保持部材２４の突出部２６が前記第１の規制部材４５の第２板部４７に当接して支持すると共に、当該保持部材２４の第２傾斜面２５ｃが第１の規制部材４５の延出部４８に当接して支持するよう設定されている。
【００２６】
(第２の規制部材について)
図６〜図１１に示すように、前記第２の規制部材５０は平板部材であって、前記第１連結杆３６を介して前記第１係止フック３５,３５に接続している。また、前記第２の規制部材５０の下端部には、前記第１の規制部材４５に形成した前記第１規制部４６ａと係脱自在に係合可能な第２規制部５０ｂが形成され、該第１規制部４６ａと第２規制部５０ｂとが係合した状態では、第２の規制部材５０の上方移動が規制されるようになっている。前記第２の規制部材５０は、該第２の規制部材５０の後端部側に位置する第４軸部５１を介して前記第１連結杆３６に枢支されると共に、第２の規制部材５０の上方前側において第１連結杆３６に開設した第１孔部３６ｂに臨む位置には、前記錠部材４１の第１脚部４３ａが係合可能な第３孔部５０ｃを開設してある。なお、前記第２の規制部材５０は、前記第１および第２バネ部材３７,４０により、常には前記規制位置にある第１の規制部材４５の第１規制部４６ａに前記第２規制部５０ｂが係合する第１位置(図７または図１０参照)に保持される。
【００２７】
ところで、前述したように、前記第２の規制部材５０を取り付けた第１連結杆３６は、前記上下の第１係止フック３５,３５を連結するものであって、該第１係止フック３５,３５が前記施錠位置から解錠位置に変位するのに伴って上方に向けて移動する。すなわち、前記第１連結杆３６に枢支された前記第２の規制部材５０は、前記第１係止フック３５,３５の施錠位置から解錠位置への変位に伴い、前記第１連結杆３６と共に前記第１バネ部材３７の弾性力に抗して前記第１位置から第１位置より上方側の第２位置(図９または図１１参照)に変位するようになっている。但し、前述したように、前記第１規制部４６ａと第２規制部５０ｂとが係合した状態では、前記第２の規制部材５０が第２位置へ変位するのは規制される(図７参照)。換言すれば、前記第１規制部４６ａと第２規制部５０ｂとが係合した状態では、前記第１係止フック３５,３５を直接操作して施錠装置から解錠位置に変位し得ないようになっている。なお、前記第１係止フック３５,３５が前記解錠位置から施錠位置へ変位した場合には、第１連結杆３６の変位と共に前記第２の規制部材５０も第１位置に変位される。
【００２８】
また、前記錠部材４１を右回転して解錠操作を行なった際には、該第１脚部４３ａが第３孔部５０ｃの端縁に係合して第２の規制部材５０が前記第４軸部５１を中心に揺動され、前記第２バネ部材４０の弾性力に抗して前記第１位置より前記第２規制部５０ｂが前方に位置する第３位置(図８または図９参照)に変位される。ここで、前記第２の規制部材５０が第３位置に変位した状態では、前記第１の規制部材４５が前記規制位置および許容位置の何れにある場合でも、前記第２規制部５０ｂが第１規制部４６ａと係合しないよう構成されて、該第２の規制部材５０を前記第２位置へ変位させ得るようになっている。言い換えると、前記第２の規制部材５０を第３位置に変位した状態では、前記第１係止フック３５,３５を直接操作して施錠装置から解錠位置に変位し得るようになっている。なお、前記第２の規制部材５０が第３位置にある場合に、前記錠部材４１を鍵部材により左回転する(すなわち錠部材４１から鍵部材を抜き外す)と、前記第２バネ部材４０の弾性力により、該第２の規制部材５０は第３位置から第１位置に復帰するようになっている。また、前記錠部材４１を右回転して解錠操作した際には、先ず前記第１脚部４３ａが前記第３孔部５０ｃと係合して第２の規制部材５０を第３位置まで変位させ、その後に該第１脚部４３ａが前記第１連結杆３６の第１孔部３６ｂと係合して該第１連結杆３６を上方に平行移動させて、前記第１係止フック３５,３５を解錠位置に変位させるよう設定してある。
【００２９】
すなわち、前記施錠装置３０は、前記第１の規制部材４５を前記規制位置に保持した状態では、前記錠部材４１を解錠操作して前記第２の規制部材５０を前記第１位置から第３位置に変位させた場合にだけ、前記第１係止片３１,３１と第１係止フック３５,３５との係合を解除し得る。一方、前記第１の規制部材４５を前記許容位置に保持した状態では、前記錠部材４１を解錠操作して前記第２の規制部材５０を前記第１位置から第３位置に変位させた場合、および錠部材４１の解錠操作を行なうことなく第１係止フック３５,３５あるいは第１連結杆３６を直接変位させる場合の何れの場合にも、前記第１係止片３１,３１と第１係止フック３５,３５との係合を解除し得るようになっている。
【００３０】
〔実施例の作用〕
次に、実施例に係るパチンコ機の作用につき説明する。
【００３１】
前記パチンコ機１０は、常には外枠１１に対して中枠１６が閉鎖状態で保持されると共に、該中枠１６に対して前枠１８が閉鎖状態で保持されている。すなわち、前記施錠装置３０の前記中枠１６に設けた第１係止フック３５,３５および第２係止フック３８,３８の夫々が前記施錠位置に保持されて、第１係止フック３５,３５と外枠１１(右枠部材１３)に設けた上下の第１係止片３１,３１とが係合すると共に、第２係止フック３８,３８と前枠１８に形成した第２係止片３２,３２とが係合して、パチンコ機１０を施錠している。
【００３２】
(外枠に保持部材を取り付けた場合について)
外枠１１に保持部材２４を取り付けた場合について説明する。前記外枠１１(右枠部材１３)の凹部１４に、前記保持部材２４を取り付けた状態では、該保持部材２４の突出部２６が中枠１６に設けた第１の規制部材４５の第２板部４７に当接して、該第１の規制部材４５を前記規制位置に保持する。一方、前記第１係止フック３５,３５が前記施錠位置にあるため、前記第２の規制部材５０は前記第１位置で保持される。すなわち、前記外枠１１に保持部材２４を取り付けた状態で中枠１６を施錠した場合には、前記第１の規制部材４５の第１規制部４６ａと第２の規制部材５０の第２規制部５０ｂとが係合して、該第２の規制部材５０の第１位置から第２位置への変位は規制される。これにより、前記第１連結杆３６が上方に移動するのも規制されて、前記第１係止フック３５,３５を直接操作しても解錠位置に変位し得なくなる。従って、前記保持部材２４を前記外枠１１に取り付けた状態では、前記第１の規制部材４５を許容位置から規制位置に変位することで、前記第１係止フック３５,３５を直接操作して解錠位置に変位させ得なくし、パチンコ機１０の所要箇所に生じた隙間を介して針金等の異物を内部に挿入された場合であっても、前記第１係止フック３５,３５が解錠位置に変位されることはなく、施錠装置３０の不正解錠を確実に防止できる。
【００３３】
一方、前記錠部材４１の鍵穴４２ａに鍵部材を挿入して解錠操作を行なうと、該錠部材４１の第１脚部４３ａが前記第２の規制部材５０に開設した第３孔部５０ｃの端縁に係合し、該第２の規制部材５０は前記第１位置から第３位置に向けて揺動(変位)される。ここで、前記第２の規制部材５０が前記第３位置にある状態では、該第２の規制部材５０の第２規制部５０ｂと前記第１の規制部材４５の第１規制部４６ａとの係合が解除されるから、第２の規制部材５０の第２位置への変位が許容される。更に、前記錠部材４１を解錠操作することにより、前記第１連結杆３６が上方に移動して、これに伴い前記第１係止フック３５,３５が前記施錠位置から解錠位置に変位されて前記施錠装置３０が解錠される。ここで、前記錠部材４１を解錠操作した際には、先ず前記第２の規制部材５０を第３位置まで変位させて、該第２の規制部材５０の第２位置への変位(第１係止フック３５の解錠位置への変位)の規制を解除した後に、第１連結杆３６を上方移動させて前記第１係止フック３５,３５を解錠位置に変位させるよう構成したから、錠部材４１や第１連結杆３６等が損傷するのは防止される。
【００３４】
このように、前記保持部材２４を前記外枠１１に取り付けた状態では、前記第１の規制部材４５を許容位置から規制位置に変位させることで、錠部材４１の解錠操作を行なった場合にのみ施錠装置３０を解錠して中枠１６を開放し得るから、セキュリティー設備等が完全に整備されていない遊技店であっても、施錠装置３０が不正に解錠されるのは確実に防止できる。なお、前記隙間を介して内部に挿入した異物により前記第２の規制部材５０を第１位置から第３位置に変位させれば、前記第１係止フック３５,３５を解錠位置に変位して不正に解錠することは可能であるが、実施例では、第２の規制部材５０を、ベース部材３４の側板３４ｂと前記第１連結杆３６との間に挟むよう配置してあるから、当該第２の規制部材５０に異物が到達することはなく、不正に解錠されることはない。
【００３５】
また、前記パチンコ機１０は、一般的にパチンコ機１０を横倒しして重心位置を下げた状態で、前記外枠１１の右枠部材１３あるいは左枠部材１５を把持して運搬される。ここで、前記パチンコ機１０には遊技盤１７や機構セット盤２２等の多数の部材が取り付けられて非常に重量があるため、前記右枠部材１３や左枠部材１５を把持してパチンコ機１０を持ち上げた場合に撓みが生じ、前記第１の規制部材４５から保持部材２４が外れる畏れがある。この場合には、前記第１の規制部材４５が許容位置に変位し、前記第２の規制部材５０の第１位置から第２位置への変位を規制し得なくなる。これに対して、実施例に係る第１の規制部材４５は、前記突出部２６に当接する第２板部４７より前記外枠１１側に延出する延出部４８を設けるようにしたから、外枠１１(右枠部材１３)が撓んで保持部材２４が中枠１６(第１の規制部材４５)から離間する方向に移動した場合であっても、延出部４８が該突出部２６(保持部材２４)に当接させることができ、当該第１の規制部材４５は規制位置で保持される。従って、前記第１の規制部材４５から保持部材２４が外れて許容位置に変位することはなく、確実に前記第２の規制部材５０の第２位置への変位を規制し得る。
【００３６】
次に、前記外枠１１に対して開放した中枠１６を閉成する場合について説明する。前記第３バネ部材４４により前記第１の規制部材４５を引っ張るようにしたことにより、前記中枠１６を外枠１１に対して開放した状態では、該第１の規制部材４５は前記許容位置に保持される。すなわち、前記第２の規制部材５０の第１位置から第２位置への変位は許容されるから、前記第１係止フック３５,３５を施錠位置から解錠位置に変位させ得る。従って、前記外枠１１に対して中枠１６を閉成するに際しては、錠部材４１の解錠操作を伴う必要はなく、単に中枠１６を外枠１１に近接させて、前記フック部３５ｃ,３５ｃを外枠１１の第１係止片３１,３１に当接させて第１係止フック３５,３５を施錠位置から解錠位置に変位させ、更に中枠１６を外枠１１に近接することにより、第１係止フック３５,３５と第１係止片３１,３１とを係合させて施錠できる。
【００３７】
また、前記外枠１１に前記保持部材２４を取り付けた状態では、前記中枠１６を閉成した際には、該保持部材２４の突出部２６が前記第１の規制部材４５の第２板部４７に当接して該第１の規制部材４５を規制位置に変位する。ここで、前記許容位置に保持されている前記第１の規制部材４５は、図５に示すように所要角度で傾斜している。これに対して、前記突出部２６の前面側に第１傾斜面２６ａを形成したことで、中枠１６の閉成時に該突出部２６と前記第２板部４７とが面接触し、第１の規制部材４５に力が効率的に作用すると共に、当該第１の規制部材４５に局部的に無理な力が掛からないから、当該保持部材２４が損傷するのは防止される。また、前記第１の規制部材４５の第２板部４７に形成した延出部４８を、外枠１１に向かうにつれて前記中枠１６の開放方向に向けて湾曲するようにしたから、中枠１６を閉成した際に、該第１の規制部材４５の角部が直接外枠１１や保持部材２４に当接するのは防止され、該外枠１１や保持部材２４にキズ等が生ずるのを防止し得る。
【００３８】
(外枠に保持部材を取り付けない場合について)
次に、前記外枠１１に保持部材２４を取り付けない場合について説明する。前記外枠１１に、前記保持部材２４を取り付けていない状態では、保持部材２４により前記第１の規制部材４５が前記許容位置から規制位置に変位されることはない。すなわち、前記第１の規制部材４５は、前記第３バネ部材４４に引っ張られて常には前記許容位置に保持される。ここで、前述したように、前記第１の規制部材４５が許容位置にある状態では、前記第２の規制部材５０の第１位置から第２位置への変位は許容されるから、前記錠部材４１を解錠操作することなく、前記第１係止フック３５,３５を直接操作して前記施錠位置から解錠位置へ変位させることが可能となる。
【００３９】
すなわち、前記パチンコ機１０の裏側に、前記第１係止フック３５,３５を施錠位置から解錠位置に変位させて施錠装置３０の解錠を行なう解錠装置を取り付け、該解錠装置を駆動させることで、第１係止フック３５,３５を機械的に施錠位置から解錠位置に変位させて解錠するようにすれば、メンテナンス作業時等における作業者の負担が軽減されると共に、作業効率が向上される。なお、前記解錠装置の構成としては、従来公知の各種装置を採用することが可能である。このように、前記保持部材２４の取り付けおよび取り外しを行なうだけで、施錠装置３０の不正解錠を防止する構成を必要とする場合と、該構成を必要としない場合との何れの場合にも容易に対応することができる。なお、前記外枠１１に対して開放した中枠１６を閉成する場合であっても、前記第２の規制部材５０の第２位置への変位は許容されるから、前述と同様に、錠部材４１の解錠操作を行なうことなく、単に中枠１６を外枠１１に対して閉成するだけで、前記第１係止フック３５,３５と第１係止片３１,３１とを係合させて施錠することができる。
【００４０】
(外枠への保持部材の取り付け・取り外しについて)
次に、前記外枠１１への保持部材２４の取り付け・取り外しについて説明する。前記外枠１１に保持部材２４を取り付けるに際しては、該保持部材２４に形成した溝部２７を、外枠１１の右枠部材１３に形成した凹部１４の位置決め突部１３ａに整合させると共に、保持部材２４に形成した突起部２８を該凹部１４の位置決め孔１３ｂに挿入することにより、当該保持部材２４が凹部１４の所定位置に位置決めされる。そして、この状態でネジ２９を介して保持部材２４を右枠部材１３にネジ止めする。このように、前記保持部材２４を前記凹部１４に位置決めした後にネジ止めするようにしたことで、該保持部材２４の取り付け作業を容易に行ない得る。また、前記外枠１１から前記保持部材２４を取り外すに際しては、前記ネジ２９を外すだけでよく短時間で行なうことができる。すなわち、前記保持部材２４を前記外枠１１(凹部１４)に容易に着脱し得るよう構成したことで、保持部材２４を外枠１１に取り付けて施錠装置３０の不正解錠を防止する場合と、保持部材２４を外枠１１から取り外してパチンコ機１０のメンテナンス作業等の簡略化を図る場合とに容易に対応し得る。
【００４１】
〔変更例〕
なお、本発明に係る遊技機としては、実施例のものに限られるものではなく種々の変更が可能である。例えば、実施例では、第１枠としての外枠に第１係合部を設け、第２枠としての中枠に第２係合部を設けるようにしたが、中枠を第１枠として該第１係合部を設けると共に、外枠を第２枠として第２係合部を設けるようにすることも可能である。そして、第１枠および第２枠を中枠と前枠として、前枠の不正解錠を防止する構成を必要とする場合と、該構成を必要としない場合に対応することも可能である。
【００４２】
また、前記第１の規制部材の構成としては、実施例のものに限られず、第１位置にある第２の規制部材と係合する規制位置と、該第２の規制部材との係合が解除される許容位置との間を変位し得るよう構成し、付勢手段により常には許容位置に保持されるようにすれば、任意の構成を採用し得る。なお、前記付勢手段は、バネ部材に限られるものではなく、従来公知の各種部材を任意に選択することが可能である。更に、前記第２の規制部材に関しても、実施例の構成に限られるものではなく、前記第２係合部の施錠位置から解錠位置への変位に伴い第１位置から第２位置に変位され、錠部材の解錠操作に伴い第１位置から第３位置に変位されるよう構成し、第１位置に保持した状態では、第１の規制部材と係合して第２位置への変位が規制され、第３位置に変位させた状態では、第１の規制部材との係合が解除されて第２位置への変位が許容されるよう構成すればよい。
【００４３】
更にまた、前記第３の規制部材の構成や形状に関しても、実施例のものに限られるものではなく、該第３の規制部材を前記第１枠に取り付けた状態で第１枠および第２枠を閉成した場合に、該第３の規制部材により前記第１の規制部材が許容位置から規制位置に変位されるようにすれば、任意の構成および形状とすることができる。また、実施例では前記第１枠に対して第３の規制部材をネジ止めするようにしたが、該第１枠に係合部を形成すると共に、第３の規制部材に被係合部を形成し、該係合部と被係合部とを係合することで第３の規制部材を第１枠に取り付け、係合部と被係合部との係合を解除することで、第３の規制部材を第１枠から取り外し得るよう構成することも可能である。
【００４４】
なお、遊技機としては、パチンコ機に限られるものではなく、スロットマシン機等の回胴式遊技機であってもよく、相対的に開閉枢支される第１枠および第２枠を備え、その一方の枠に第１係合部を配設し、他方の枠に該第１係合部と係脱自在な第２係合部を有する係合手段を配設するようにした遊技機であれば何れのものであっても採用し得る。ここで、一般的な回胴式遊技機の構成につき簡単に説明すると、箱状の筐体(第１枠)と、該筐体に開閉可能に枢支される前扉(第２枠)とから構成される。
【図面の簡単な説明】
【００４５】
【図１】本発明の実施例に係るパチンコ機を示す正面図である。
【図２】実施例に係るパチンコ機の中枠を外枠に対して開放すると共に、外枠の右枠部材に保持部材を取り付けた状態で示す横断平面図である。
【図３】実施例に係る外枠の凹部と保持部材とを、パチンコ機の裏側から見た状態で示す要部拡大斜視図である。
【図４】実施例に係る保持部材を前側下方から見た状態を示す斜視図である。
【図５】実施例に係る施錠装置を示す側面図である。
【図６】実施例に係る施錠装置の要部を示す背面図である。
【図７】実施例に係る施錠装置の要部を示す側面図であって、第１の規制部材を規制位置に変位させ、かつ第２の規制部材が第１位置にある状態を示す。
【図８】実施例に係る施錠装置の要部を示す側面図であって、第１の規制部材を規制位置に変位させ、かつ第２の規制部材を第１位置から第３位置に変位させた状態を示す。
【図９】実施例に係る施錠装置の要部を示す側面図であって、第１の規制部材が規制位置に変位し、かつ第３位置に保持した第２の規制部材を第２位置に変位させた状態を示す。
【図１０】実施例に係る施錠装置の要部を示す側面図であって、第１の規制部材を許容位置に保持し、かつ第２の規制部材が第１位置にある状態を示す。
【図１１】実施例に係る施錠装置の要部を示す側面図であって、第１の規制部材を許容位置に保持し、かつ第２の規制部材を第１位置から第２位置に変位させた状態を示す。
【符号の説明】
【００４６】
１１  外枠(第１枠)
１６  中枠(第２枠)
２４  保持部材(第３の規制部材)
２６  突出部
３０  施錠装置
３１  第１係止片(第１係合部)
３４  ベース部材
３５  第１係止フック(第２係合部)
４１  錠部材
４４  第３バネ部材(付勢手段)
４５  第１の規制部材
４６  第１板部(第１面)
４７  第２板部(第２面)
４８  延出部
５０  第２の規制部材
【図１】
2005152344.tif 000003
【図２】
2005152344.tif 000004
【図３】
2005152344.tif 000005
【図４】
2005152344.tif 000006
【図５】
2005152344.tif 000007
【図６】
2005152344.tif 000008
【図７】
2005152344.tif 000009
【図８】
2005152344.tif 000010
【図９】
2005152344.tif 000011
【図１０】
2005152344.tif 000012
【図１１】
2005152344.tif 000013